(57)【特許請求の範囲】
【請求項１】
各種情報発信者からのレストランに関する情報、ショッピングに関する情報、遊園地等の娯楽場や特定エリア等で開催される催しに関する情報等のイベント情報を複数の情報提供装置それぞれにより収集、入力、編集し、前記各情報提供装置それぞれのデータベースに、前記イベント情報に該イベント情報の場所を表わす位置情報を付加して格納し、前記データベースに格納された前記イベント情報の一部の概要情報を放送或いは通信手段により前記各情報提供装置それぞれから車両等の移動体の情報端末に向けて送信し、前記情報端末により前記概要情報に基いて前記各情報提供装置のいずれかの前記データベースの前記イベント情報を取得する移動体向けの情報提供システムであって、
前記各情報提供装置が、
前記イベント情報の前記データベースへの格納または前記概要情報の前記情報端末への送信に先立ち、前記位置情報との組み合わせで形成されて前記各情報提供装置の前記データベースの別、前記データベース内での前記イベント情報の別から前記イベント情報を特定する個別識別コードの発行要求を情報管理装置に行う手段と、
前記情報管理装置から取得した前記個別識別コードを前記イベント情報に付加する付加部とを備え、
前記情報管理装置が、
前記各情報提供装置それぞれからの前記個別識別コードの発行要求を受け付けて前記各情報提供装置の前記イベント情報の前記位置情報及び前記概要情報を取得する取得部と、
前記各情報提供装置の前記データベース及び該データベース内での前記イベント情報を特定するアドレス情報と、前記個別識別コードとの対照表を格納する格納部と、
前記個別識別コードを前記対照表に基づいて前記アドレス情報に変換する変換部と、
前記対照表、前記アドレス情報などを利用して前記個別識別コードと前記イベント情報との対応付け処理を実行することで、前記各情報提供装置の前記位置情報が同一の同じ場所の複数の前記イベント情報の前記位置情報に前記各情報提供装置それぞれの前記データベース内で異なるように割り当てられた識別記号を前記位置情報に付加して前記個別識別コードを生成し、前記個別識別コードの発行要求に応じて前記各情報提供装置それぞれに生成した前記個別識別コードを発行し、かつ、前記概要情報に前記個別識別コードを付加することにより、前記概要情報と前記個別識別コードとを組み合わせた前記情報メニューを作成する発行部とを備え、
前記情報端末が、
前記情報管理装置から前記情報メニューを取得する送受信部を備え、前記情報メニューから選択された前記概要情報の前記イベント情報を取得するようにしたことを特徴とする移動体向けの情報提供システム。
【請求項２】
請求項１に記載の移動体向けの情報提供システムにおいて、
前記情報管理装置の前記変換部が、
前記情報端末からの前記個別識別コードを伴うアドレス紹介要求により、前記情報端末から送られてくる前記個別識別コードを前記対照表に基づいて前記アドレス情報に変換し、該アドレス情報を前記情報端末に返送して提供し、
前記情報端末の送受信部が、
前記情報メニューのなかから選択された前記概要情報の前記個別識別コードを伴う前記アドレス紹介要求を前記情報管理装置に送信し、前記アドレス紹介要求に応じて前記情報管理装置から送信されてくる前記アドレス情報を受信するようにしたことを特徴とする移動体向けの情報提供システム。
【請求項３】
請求項１に記載の移動体向けの情報提供システムにおいて、
前記情報管理装置の前記変換部が、
前記情報端末からの前記個別識別コードを伴うイベント情報取得要求により、前記情報端末から送られてくる前記個別識別コードを前記対照表に基づいて前記アドレス情報に変換し、
かつ、前記情報管理装置が、
前記変換部の変換された前記アドレス情報により特定される前記情報提供装置に接続して前記個別識別コードを送信し、当該情報提供装置の前記データベースから前記個別識別コードまたは前記アドレス情報に基づいて特定されて読み出された前記イベント情報を受信し、受信した前記イベント情報を前記情報端末に送信する通信部を備え、
前記情報端末の前記送受信部が、
前記情報メニューのなかから選択された前記概要情報の前記個別識別コードを伴う前記イベント情報取得要求を前記情報管理装置に送信し、前記イベント情報取得要求に基いて前記情報管理装置から送信されてくる前記イベント情報を受信するようにしたことを特徴とする移動体向けの情報提供システム。
【請求項４】
請求項１に記載の移動体向けの情報提供システムにおいて、
前記各情報提供装置の前記付加部が、前記個別識別コードの発行要求を行って前記情報管理装置から前記各情報提供装置それぞれの前記データベースの前記イベント情報の個別識別コード及び有効期限を表わす期限情報を取得し、取得した前記個別識別コード及び前記期限情報を前記イベント情報に付加し、前記期限情報に基き前記データベースの有効期限が既に経過している前記イベント情報を提供対象から削除し、
前記情報管理装置の前記取得部が、前記各情報提供装置それぞれからの前記個別識別コードの発行要求を受け付けて前記各情報提供装置から前記イベント情報の位置情報、前記概要情報と前記有効期限とを取得し、
前記情報管理装置の前記発行部が、前記有効期限の経過前の前記イベント情報については前記有効期限を表わす期限情報付きの前記個別識別コードを前記概要情報に付加し、前記有効期限が既に経過して削除された前記イベント情報については前記概要情報を前記情報メニューから削除することにより、前記情報端末に送信して提供する前記情報メニューを前記有効期限の経過前の複数の前記イベント情報についての前記概要情報と前記期限情報付きの個別識別コードとの組み合わせにより形成し、かつ、前記有効期限が既に経過した前記イベント情報について生成した前記個別識別コードを、前記個別識別コードの発行要求を受け付けた前記情報提供装置と異なる前記情報提供装置の前記イベント情報または前記個別識別コードの発行要求を受け付けた前記情報提供装置の異なる前記イベント情報に再発行するようにしたことを特徴とする移動体向けの情報提供システム。
【請求項５】
請求項４に記載の移動体向けの情報提供システムにおいて、
前記情報管理装置が、
前記各情報提供装置の前記データベース及び該データベース内での前記イベント情報を特定するアドレス情報と、前記個別識別コードとの対照表を格納する格納部と、
前記情報端末からの前記期限情報付きの個別識別コードを伴うアドレス紹介要求により、前記情報端末から送られてくる前記有効期限が経過していない前記イベント情報の前記期限情報付きの個別識別コードを前記格納部の前記対照表に基づいて前記アドレス情報に変換し、変換した前記アドレス情報を前記情報端末に返送して提供する変換部とを備え、
前記情報端末が、
前記情報メニューのなかから選択された前記有効期限が経過していない前記イベント情報の前記概要情報についてのみ、当該概要情報の前記期限情報付きの個別識別コードを伴う前記アドレス紹介要求を前記情報管理装置に送信し、前記アドレス紹介要求に応じて前記情報管理装置から送信されてくる前記アドレス情報を受信する送受信部を備えていることを特徴とする移動体向けの情報提供システム。
【請求項６】
請求項４に記載の移動体向けの情報提供システムにおいて、
前記情報管理装置が、
前記各情報提供装置の前記データベース及び前記データベース内の前記イベント情報を特定するアドレス情報と、前記期限情報付きの個別識別コードとの対照表を格納する格納部と、  前記情報端末からの前記期限情報付きの個別識別コードを伴うイベント情報取得要求により、前記情報端末から送られてくる前記有効期限が経過していない前記イベント情報の前記概要情報の前記期限情報付きの個別識別コードを前記格納部の前記対照表に基づいて前記アドレス情報に変換する変換部と、
前記変換部の変換された前記アドレス情報により特定される前記情報提供装置に接続して前記個別識別コードを送信し、当該情報提供装置の前記データベースから前記個別識別コードまたは前記アドレス情報に基づいて特定されて読み出された前記イベント情報を受信し、受信した前記イベント情報を前記情報端末に送信する通信部とを備え、
前記情報端末が、
前記情報メニューのなかから選択された有効期限が経過していない前記イベント情報の前記概要情報の前記期限情報付きの個別識別コードを伴う前記イベント情報取得要求を前記情報管理装置に送信し、そのイベント情報取得要求に応じて前記情報管理装置から送信されてくる前記イベント情報を受信する送受信部を備えていることを特徴とする移動体向けの情報提供システム。
【発明の詳細な説明】
【０００１】
【発明の属する技術分野】
この発明は、各種情報発信者（情報の提供者）からのレストランに関する情報、ショッピングに関する情報等のイベント情報を複数の情報提供装置それぞれにより収集、入力、編集し、イベント情報の位置情報を付加した概要情報等を各情報提供装置からの放送或いは通信により移動体の情報端末に向けて送信し、端末装置により選択された概要情報のイベント情報を取得する移動体向け情報提供システムに関する。
【０００２】
【従来の技術】
車両等の移動体向けの情報提供サービスとして、例えば放送局からの通常のＦＭ放送に、各種情報発信者からのレストランに関する情報、ショッピングに関する情報、遊園地等の娯楽場や特定エリア等で開催される催しに関する情報等のイベント情報を多重して放送するＦＭ多重放送がある。
【０００３】
このＦＭ多重放送にあっては、車両に搭載されたＦＭ受信機等の情報端末により放送局の情報提供装置からの放送が受信され、その受信信号にＦＭ多重されている情報が復調されて取り出され、情報端末の液晶ディスプレイ（ＬＣＤ）等から成る表示部にその受信データの内容が表示される。
【０００４】
ところで、近年のカーナビゲーション技術の進歩によって、前記情報端末をカーナビゲーションシステムの端末（以下、カーナビという）により形成し、これらの情報提供サービスを受けることもできるようになっている。この場合、カーナビにＦＭ受信部を設け、ＦＭ放送局から送信されるイベント情報に、そのイベント情報の提供位置（場所）を表わす、例えばレストランの位置情報（緯度、経度を表わす位置コード）が情報発信者側或いは放送局側（情報端末から見た情報提供者側）で付加され、カーナビ側（情報端末側）でイベント情報を受信すると、受信したイベント情報に付加された位置情報を読み取り、カーナビゲーションシステムを構成するＬＣＤ等の表示部により、受信したイベント情報の内容を文字及び図形等により表示したり、位置情報により表される位置を、表示部に表示される地図に重畳して表示することが可能である。
【０００５】
この場合、カーナビ側にイベント情報を記憶保持するメモリを設けておき、このメモリに一旦受信したイベント情報を格納し、位置コードに基づき地域別にメモリからイベント情報を読み出して表示したり、イベント情報をジャンル別に読み出して表示することもできる。
【０００６】
一方、最近ではデジタル技術が著しく発展し、これに伴い、上記したイベント情報の送受信をデジタル通信により行うことや、インターネットの普及に伴い、インターネットプロバイダを経由して、上記したイベント情報の送受信を、通信対応のカーナビや携帯型の通信端末を用いて行うことなども考えられる。
【０００７】
上記したＦＭ多重放送やインターネットによる情報提供サービスの場合、イベント情報のより詳細な内容を問い合わせたり、必要時には予約等の手続を行えるようにするために情報発信者への問い合わせ先データ（例えば、電話番号、ファクシミリ番号やインターネットのＵＲＬ等）をイベント情報と共に送信することも考えられている。この場合、問い合わせを行うイベント情報を識別できるように、いわゆるアドレスコードのような予め割り当てた何らかのコードをイベント情報に更に付加して送信することが考えられている。
【０００８】
【発明が解決しようとする課題】
しかし、この種の移動体向け情報提供システムにおいて、情報発信者は日本全国に多数存在し、各々が提供するイベント情報も膨大な数となることから、それらを区別する前記のアドレスコード等は通常多くの桁数を必要とし、それらのコードを付加した各種のイベント情報を情報端末側に送信して情報端末側でその中からイベント情報を選択するようにすると、情報量が多くなる。
この場合、例えば情報提供者側のＦＭ放送局やインターネットプロバイダ等の情報提供装置の送信情報量が多くなり、それらの負荷が増大すると共に送信に長時間を要し、また、カーナビ等の情報端末側においても、記憶手段により記憶しておくべき情報量が非常に多くなり過ぎて負担が増大するという問題がある。
【０００９】
さらに、情報提供装置が複数の場合は、同じイベント情報であってもそれを提供する情報提供装置の区別も必要になると共に、各情報提供装置から情報端末に提供されるイベント情報やそれらの識別のコードが重複しないように一元的に管理する必要も生じるが、上記したように情報発信者が多数であることから、そのような情報管理が非常に煩雑になるという問題もある。
【００１０】
本発明が解決しようとする課題は、各種の情報発信者のイベント情報を複数の情報提供装置それぞれから放送或いは通信手段により移動体の情報端末に提供する移動体向け情報提供システムにおいて、情報端末側に記憶すべき情報量が極めて少ない構成で実現できるようにすると共に、各情報提供装置が前記情報端末に提供する各イベント情報を、装置負荷が少ない構成で重複しないように一元的に管理できるようにし、更には、情報端末側により期限の有効な情報のみを正しく取得できるようにすることにある。
【００１１】
【課題を解決するための手段】
上記した課題を解決するために、本発明における移動体向けの情報提供システムは、各種情報発信者からのレストランに関する情報、ショッピングに関する情報、遊園地等の娯楽場や特定エリア等で開催される催しに関する情報等のイベント情報を複数の情報提供装置それぞれにより収集、入力、編集し、前記各情報提供装置それぞれのデータベースに、前記イベント情報に該イベント情報の場所を表わす位置情報を付加して格納し、前記データベースに格納された前記イベント情報の一部の概要情報を放送或いは通信手段により前記各情報提供装置それぞれから車両等の移動体の情報端末に向けて送信し、前記情報端末により前記概要情報に基いて前記各情報提供装置のいずれかの前記データベースの前記イベント情報を取得する移動体向けの情報提供システムであって、前記各情報提供装置が、前記イベント情報の前記データベースへの格納または前記概要情報の前記情報端末への送信に先立ち、前記位置情報との組み合わせで形成されて前記各情報提供装置の前記データベースの別、前記データベース内での前記イベント情報の別から前記イベント情報を特定する個別識別コードの発行要求を情報管理装置に行う手段と、前記情報管理装置から取得した前記個別識別コードを前記イベント情報に付加する付加部とを備え、前記情報管理装置が、前記各情報提供装置それぞれからの前記個別識別コードの発行要求を受け付けて前記各情報提供装置の前記イベント情報の前記位置情報及び前記概要情報を取得する取得部と、前記各情報提供装置の前記データベース及び該データベース内での前記イベント情報を特定するアドレス情報と、前記個別識別コードとの対照表を格納する格納部と、前記個別識別コードを前記対照表に基づいて前記アドレス情報に変換する変換部と、前記対照表、前記アドレス情報などを利用して前記個別識別コードと前記イベント情報との対応付け処理を実行することで、前記各情報提供装置の前記位置情報が同一の同じ場所の複数の前記イベント情報の前記位置情報に前記各情報提供装置それぞれの前記データベース内で異なるように割り当てられた識別記号を前記位置情報に付加して前記個別識別コードを生成し、前記個別識別コードの発行要求に応じて前記各情報提供装置それぞれに生成した前記個別識別コードを発行し、かつ、前記概要情報に前記個別識別コードを付加することにより、前記概要情報と前記個別識別コードとを組み合わせた前記情報メニューを作成する発行部とを備え、前記情報端末が、前記情報管理装置から前記情報メニューを取得する送受信部を備え、前記情報メニューから選択された前記概要情報の前記イベント情報を取得するようにしたことを特徴としている（請求項１）。
【００１２】
このように構成すれば、各情報提供装置において、イベント情報のデータベースへの格納またはその概要情報の情報端末への送信に先立つ個別識別コードの発行要求により、イベント情報の位置情報との組み合わせで形成されて各情報提供装置の別とそのデータベース内のイベント情報の別とからそのイベント情報を特定するための個別識別コードが情報管理装置から取得され、取得された個別識別コードがデータベースのイベント情報に付加される。
【００１３】
このとき、個別識別コードが、イベント情報の位置情報に各情報提供装置それぞれの前記データベース内で異なるように割り当てられた識別記号を付加して生成され、各情報提供装置の同じ所在（場所）の複数のイベント情報が、個別識別コードの識別記号によって各情報提供装置それぞれのデータベース内で区別されて特定される。
【００１４】
そのため、例えば、全ての情報提供装置の全てのイベント情報に対して異なるコードを割り当てるような場合に比して、個別識別コードのコード長が大幅に短くなり、情報管理装置から各情報提供装置に少ない情報量で個別識別コードを送信することができる。
【００１５】
更に、情報管理装置から移動体の情報端末にイベント情報の一部の概要情報とその個別識別コードとを組合わせた情報メニューが送られ、情報端末において、受信した情報メニューからの概要情報の選択により、選択した概要情報の個別識別コードに基いて該当する情報提供装置に接続され、その情報提供装置のデータベースから所望のイベント情報が取得されてその詳細の表示等が可能になる。
【００１６】
この場合、情報メニューの個別識別コードは短く、しかも、概要情報はイベント情報の詳細でなく一部であるので、イベント情報の概要情報とその個別識別コードとを組合わせたイベント情報の選択に必要な最小限の情報量の情報メニューが情報管理装置から情報端末に送られて、情報端末に記憶される。
【００１７】
そして、情報メニューにアドレス情報を組み入れておく必要がなく、情報管理装置から移動体の情報端末に送信する情報量が少なくて済み、しかも、情報端末側で記憶すべき情報量も極めて低減されて少なくなる。
【００１８】
その際、各情報提供装置のデータベースの各イベント情報が、前記の位置情報に識別記号を付加した個別識別コードにより、情報提供装置の別、及び、情報提供装置のデータベース内の別を認識して特定されるため、各情報提供装置から情報端末に提供されるイベント情報の一元管理が、情報管理装置により少ない装置負担で行なえる。
【００１９】
したがって、移動体の情報端末側に記憶すべき情報量が極めて少ない構成でこの種の移動体向けの情報提供システムを実現することができると共に、各情報提供装置が前記情報端末に提供する各イベント情報を、装置負荷が少ない構成で重複しないように一元的に管理することができる。
【００２０】
次に、本発明における移動体向けの情報提供システムは、前記情報管理装置の前記変換部が、前記情報端末からの前記個別識別コードを伴うアドレス紹介要求により、前記情報端末から送られてくる前記個別識別コードを前記対照表に基づいて前記アドレス情報に変換し、該アドレス情報を前記情報端末に返送して提供し、前記情報端末の送受信部が、前記情報メニューのなかから選択された前記概要情報の前記個別識別コードを伴う前記アドレス紹介要求を前記情報管理装置に送信し、前記アドレス紹介要求に応じて前記情報管理装置から送信されてくる前記アドレス情報を受信するようにしたことを特徴としている（請求項２）。
【００２１】
こうすることで、移動体の情報端末により情報メニューから所望の概要情報の個別識別コードを選択し、情報端末から情報管理装置に選択した個別識別コードを伴うアドレス紹介要求を行うことにより、情報管理装置において、格納部の対照表により、その個別識別コードがアドレス情報に変換されて情報端末に提供される。
【００２２】
そして、情報端末では、個別識別コードに対応したイベント情報の詳細の入手先に関するアドレス情報を取得し、そのアドレス情報の通信先の情報提供装置に接続することにより、その情報提供装置のデータベースから前記アドレス情報の所望のイベント情報の詳細を取得することができる。
【００２３】
このとき、前記請求項１のシステムと同様、情報メニューにアドレス情報を組み入れておく必要がないため、情報端末側において記憶すべき情報量を低減でき、送信すべきデータ量も少なくて済み、各情報提供装置から情報端末に提供されるイベント情報の一元管理が、情報管理装置により少ない装置負担で行なえる。
【００２４】
従って、移動体の情報端末により、情報管理装置にアドレス紹介要求をして取得したアドレス情報に基き、該当する情報提供装置に接続してそのデータベースから所望のイベント情報を取得することができる具体的な構成を提供することができ、この具体的な構成により請求項１のシステムと同様の効果が得られる。
【００２５】
次に、本発明における移動体向けの情報提供システムは、前記情報管理装置の前記変換部が、前記情報端末からの前記個別識別コードを伴うイベント情報取得要求により、前記情報端末から送られてくる前記個別識別コードを前記対照表に基づいて前記アドレス情報に変換し、かつ、前記情報管理装置が、前記変換部の変換された前記アドレス情報により特定される前記情報提供装置に接続して前記個別識別コードを送信し、当該情報提供装置の前記データベースから前記個別識別コードまたは前記アドレス情報に基づいて特定されて読み出された前記イベント情報を受信し、受信した前記イベント情報を前記情報端末に送信する通信部を備え、前記情報端末の前記送受信部が、前記情報メニューのなかから選択された前記概要情報の前記個別識別コードを伴う前記イベント情報取得要求を前記情報管理装置に送信し、前記イベント情報取得要求に基いて前記情報管理装置から送信されてくる前記イベント情報を受信するようにしたことを特徴としている（請求項３）。
【００２６】
このようにすれば、移動体の情報端末において、情報メニューから所望の概要情報の個別識別コードを選択し、その個別識別コードを伴うイベント情報取得要求を情報管理装置に送信することにより、その個別識別コードのアドレス情報で特定される情報提供装置のデータベースの所望のイベント情報の詳細を、情報管理装置を経由して取得することができる。
【００２７】
そして、この場合も、情報メニューにアドレス情報を組み入れておく必要がないため、情報端末側において記憶すべき情報量を低減でき、送信すべきデータ量も少なくて済み、各情報提供装置から情報端末に提供されるイベント情報の一元管理が、情報管理装置により少ない装置負担で行なえる。
【００２８】
従って、移動体の情報端末により、情報管理装置にイベント紹介要求をし、該当する情報提供装置のデータベースの所望のイベント情報を、情報管理装置を経由して取得することができる具体的な構成を提供することができ、この具体的な構成により請求項１のシステムと同様の効果が得られる。
【００２９】
また、所望のイベント情報が情報管理装置に取り込まれるため、情報端末において、情報管理装置からのイベント情報の受信状態が悪化しても、その後受信状態が安定してから情報管理装置よりイベント情報の詳細を再度入手することができるので、より安定した情報入手が可能になる利点もある。
【００３０】
次に、本発明における移動体向けの情報提供システムは、前記各情報提供装置の前記付加部が、前記個別識別コードの発行要求を行って前記情報管理装置から前記各情報提供装置それぞれの前記データベースの前記イベント情報の個別識別コード及び有効期限を表わす期限情報を取得し、取得した前記個別識別コード及び前記期限情報を前記イベント情報に付加し、前記期限情報に基き前記データベースの有効期限が既に経過している前記イベント情報を提供対象から削除し、前記情報管理装置の前記取得部が、前記各情報提供装置それぞれからの前記個別識別コードの発行要求を受け付けて前記各情報提供装置から前記イベント情報の位置情報、前記概要情報と前記有効期限とを取得し、前記情報管理装置の前記発行部が、前記有効期限の経過前の前記イベント情報については前記有効期限を表わす期限情報付きの前記個別識別コードを前記概要情報に付加し、前記有効期限が既に経過して削除された前記イベント情報については前記概要情報を前記情報メニューから削除することにより、前記情報端末に送信して提供する前記情報メニューを前記有効期限の経過前の複数の前記イベント情報についての前記概要情報と前記期限情報付きの個別識別コードとの組み合わせにより形成し、かつ、前記有効期限が既に経過した前記イベント情報について生成した前記個別識別コードを、前記個別識別コードの発行要求を受け付けた前記情報提供装置と異なる前記情報提供装置の前記イベント情報または前記個別識別コードの発行要求を受け付けた前記情報提供装置の異なる前記イベント情報に再発行するようにしたことを特徴としている（請求項４）。
【００３１】
このように構成すれば、各情報提供装置が情報管理装置に個別識別コードの発行要求を行うことにより、各情報提供装置それぞれのデータベースの有効期限が経過していないイベント情報は自動的に情報端末の選択対象になって個別識別コード及び期限情報が付加され、データベースの有効期限が既に経過しているイベント情報は前記提供対象から削除される。
【００３２】
このとき、情報管理装置により各情報提供装置の既に有効期限が経過して削除されるイベント情報の個別識別コードは、同一又は異なる情報提供装置の別の新たなイベント情報に再発行されて有効活用される。
【００３３】
そのため、一度割り当てた個別識別コードを、有効期限経過後は別の新たなイベント情報に割り当てることができ、個別識別コードを効果的に使うことができ、極力少ない種類の個別識別コードで多くのイベント情報を情報端末側に提供することができる。
【００３４】
また、情報管理装置において、有効期限の経過前のイベント情報についてのみ、割り当てられた期限情報付きの個別識別コードと概要情報とが組み合わされて情報メニューが形成され、この情報メニューが情報管理装置から情報端末に提供される。
【００３５】
そして、情報端末においては、前記の情報メニューからの選択により、有効期限が経過する前のイベント情報の概要情報のみを選択することができ、この選択に基き、有効期限が経過する前の有用なイベント情報の詳細を取得することができる。
【００３６】
また、個別識別コードを効果的に使うことができ、極力少ない種類の個別識別コードで多くのイベント情報を情報端末側に提供することができ、更に、個別識別コードの種類が少なくなり、一度個別識別コードに割り当てた識別記号を、有効期限経過後は別の新たな個別識別コードに割り当てることが可能になることから、その識別記号の種類も低減でき、情報端末側で記憶すべき情報量を低減することが可能になる。
【００３７】
従って、移動体の情報端末側に記憶すべき情報量が極めて少なく、しかも、各情報提供装置が前記情報端末に提供する各イベント情報を、装置負荷が少ない構成で重複しないように一元的に管理することができる構成により、情報端末側で有効期限が経過する前の有用なイベント情報のみを正しく取得することができる。
【００３８】
次に、本発明における移動体向けの情報提供システムは、前記情報管理装置が、前記各情報提供装置の前記データベース及び該データベース内での前記イベント情報を特定するアドレス情報と、前記個別識別コードとの対照表を格納する格納部と、前記情報端末からの前記期限情報付きの個別識別コードを伴うアドレス紹介要求により、前記情報端末から送られてくる前記有効期限が経過していない前記イベント情報の前記期限情報付きの個別識別コードを前記格納部の前記対照表に基づいて前記アドレス情報に変換し、変換した前記アドレス情報を前記情報端末に返送して提供する変換部とを備え、前記情報端末が、前記情報メニューのなかから選択された前記有効期限が経過していない前記イベント情報の前記概要情報についてのみ、当該概要情報の前記期限情報付きの個別識別コードを伴う前記アドレス紹介要求を前記情報管理装置に送信し、前記アドレス紹介要求に応じて前記情報管理装置から送信されてくる前記アドレス情報を受信する送受信部を備えていることを特徴としている（請求項５）。
【００３９】
こうすると、情報端末での情報メニューからの概要情報の選択により、有効期限の経過していない概要情報についてのみ、期限情報付きの個別識別コードを伴うアドレス紹介要求が情報端末から情報管理装置に送られる。
【００４０】
そして、情報管理装置においては、その期限情報付きの個別識別コードが対照表によって該当するイベント情報のアドレス情報に変換され、常に有効期限の経過していないアドレス情報が情報管理装置から情報端末に送信される。
【００４１】
更に、情報端末により、受信したアドレス情報の情報提供装置に接続し、その装置のデータベースから該当するイベント情報が読み出され、有効期限が経過していない有用なイベント情報の詳細内容を入手することが可能になる。
【００４２】
従って、移動体の情報端末により、情報管理装置にアドレス紹介要求をして取得したアドレス情報によって特定された情報提供装置のデータベースから、有効期限が経過していない選択された有用なイベント情報のみを取得することができる、具体的な構成を提供することができ、この具体的な構成により請求項４のシステムと同様の効果が得られる。
【００４３】
次に、本発明における移動体向けの情報提供システムは、前記情報管理装置が、前記各情報提供装置の前記データベース及び前記データベース内の前記イベント情報を特定するアドレス情報と、前記期限情報付きの個別識別コードとの対照表を格納する格納部と、前記情報端末からの前記期限情報付きの個別識別コードを伴うイベント情報取得要求により、前記情報端末から送られてくる前記有効期限が経過していない前記イベント情報の前記概要情報の前記期限情報付きの個別識別コードを前記格納部の前記対照表に基づいて前記アドレス情報に変換する変換部と、前記変換部の変換された前記アドレス情報により特定される前記情報提供装置に接続して前記個別識別コードを送信し、当該情報提供装置の前記データベースから前記個別識別コードまたは前記アドレス情報に基づいて特定されて読み出された前記イベント情報を受信し、受信した前記イベント情報を前記情報端末に送信する通信部とを備え、前記情報端末が、前記情報メニューのなかから選択された有効期限が経過していない前記イベント情報の前記概要情報の前記期限情報付きの個別識別コードを伴う前記イベント情報取得要求を前記情報管理装置に送信し、そのイベント情報取得要求に応じて前記情報管理装置から送信されてくる前記イベント情報を受信する送受信部を備えていることを特徴としている（請求項６）。
【００４４】
こうすれば、情報端末において、情報メニューから有効期限が経過していない概要情報が選択され、選択された情報の期限情報付きの個別識別コードを伴うイベント情報取得要求が情報管理装置に送信され、情報管理装置においては、情報端末からのイベント情報取得要求常に基き、期限情報付きの個別識別コードが対照表に基いてイベント情報のアドレス情報に変換され、このアドレス情報に基いて特定された情報提供装置のデータベースから、有効期限の経過していない有用な選択されたイベント情報が読み出される。更に、そのイベント情報が情報管理装置から情報端末に送信され、情報端末において、有効期限の経過していない有用なイベント情報についてのみ、情報管理装置を経由してその詳細を取得することができる。
【００４５】
従って、移動体の情報端末により、情報管理装置にイベント情報取得要求をすることにより、該当する情報提供装置のデータベースの有効期限が経過していない選択された有用なイベント情報を情報管理装置を経由して取得することができる、具体的な構成を提供することができ、この具体的な構成により請求項４のシステムと同様の効果が得られる。
【００４６】
【発明の実施の形態】
（第１実施形態）
この発明の第１実施形態について図１ないし図１２を参照して説明する。但し、図１はシステム全体の概略構成を示す図、図２は情報端末のブロック図、図３ないし図８は動作説明図、図９ないし図１２は動作説明用フローチャートである。
【００４７】
まず、システム全体の構成を示す図１について説明する。図１に示すように、各種のレストランや料理店、ブティック等の衣料洋品店、遊園地等の娯楽場といった各種情報発信者（図示せず）から、料理メニュー等のレストラン情報、バーゲンセール等のショッピング情報、娯楽場で開催される催しに関する情報等のイベント情報が、情報端末側から見て情報提供者である例えばＦＭ放送局やインターネットプロバイダ等の複数（ここでは３つ）の情報提供装置１Ａ、１Ｂ、１Ｃに送られると、各情報提供装置１Ａ〜１Ｃにより各イベント情報が受け付けられて収集、入力、編集される。
【００４８】
このとき、各情報提供装置１Ａ〜１Ｃにおいては、受け付けたイベント情報の一部の概要情報が作成されると共に、そのイベント情報の位置情報（緯度、経度を表わす位置コード）、例えば図３に示す“ＸＸＸＹＹＹ”がイベント情報に付加され、各々のイベント情報データベース２Ａ、２Ｂ、２Ｃに、イベント情報及びその一部の概要情報と共にその位置情報が格納される。
【００４９】
また、各情報提供装置１Ａ〜１Ｃから車両等の移動体の情報端末である例えばカーナビ３に向けて各イベント情報の概要情報が送信されるが、それに先立ち、各情報提供装置１Ａ〜１Ｃから情報管理装置４に対して、前記の位置情報との組み合わせで、イベント情報データベース２Ａ〜２Ｃの別と、イベント情報データベース２Ａ〜２Ｃ内のイベント情報の別とから、イベント情報を特定するための個別識別コードの発行要求が、通信によりなされる。
【００５０】
なお、前記の個別識別コードの発行要求は、上記したように各情報提供装置１Ａ〜１Ｃにおいて、各々のイベント情報データベース２Ａ〜２Ｃに受け付けたイベント情報及びその概要情報並びに位置情報を格納するのに先立ち、或いはカーナビ３に概要情報を送信するのに先立って行われる。
【００５１】
そして、前記の個別識別コードの発行要求を受け付けた情報管理装置４では、各情報提供装置１Ａ〜１Ｃからの個別識別コードの発行要求を受ける際に、各情報提供装置１Ａ〜１Ｃから、それぞれのイベント情報に付加する位置コード（図３参照）による位置情報が取得され、この位置情報に、その位置情報が同一の同じ場所の複数の前記イベント情報に対して各情報提供装置１Ａ〜１Ｃそれぞれのイベント情報データベース２Ａ〜２Ｃ内で異なるように割り当てられた識別記号が付加され、これにより個別識別コードが生成され、各情報提供装置１Ａ〜１Ｃに、生成されたそれぞれのイベント情報の個別識別コードが通信により発行される。具体的には、例えば、図３に示すように、“ＸＸＸＹＹＹ”という位置情報に対して、“−１”や“−２”という識別記号が付加されて個別識別コードが生成され、図４に示すような管理テーブルに、生成された個別識別コードが登録されてデータベース５に格納される。
【００５２】
また、各情報提供装置１Ａ〜１Ｃからの個別識別コードの発行要求を受ける際に、情報管理装置４により、各情報提供装置１Ａ〜１Ｃそれぞれのイベント情報の概要情報も併せて取得されており、図５に示すように、各情報提供装置１Ａ〜１Ｃそれぞれの個別識別コードと概要情報との組み合わせから成る情報メニューがデータベース５に格納される。
【００５３】
ここで、情報管理装置４の位置情報の取得処理が取得部の処理であり、個別識別コードの発行及び情報メニューの作成処理が発行部の処理である。これらの処理は、情報管理装置４を構成するコンピュータにより行われ、このような処理を行うための制御プログラムは、情報管理装置４を構成するコンピュータのハードディスク等の記録媒体に読み取り可能に格納されている。
【００５４】
このようにして、各情報提供装置１Ａ〜１Ｃにより情報管理装置４からの個別識別コードが取得されると、図６に示すように、位置情報、取得された個別識別コード、概要情報及びイベント情報に加えて、各情報提供装置１Ａ〜１Ｃのイベント情報データベース２Ａ〜２Ｃ及びイベント情報データベース２Ａ〜２Ｃ内のイベント情報を区別してイベント情報を特定するためのアドレス情報（例えば、インターネットのＵＲＬ（Uniform Resource Locator）、電話番号或いはファクシミリ番号等）も、イベント情報データベース２Ａ〜２Ｃに格納される。
【００５５】
一方、情報管理装置４においては、各情報提供装置１Ａ〜１Ｃから個別識別コードの発行要求を受ける際に、イベント情報データベース２Ａ〜２Ｃに格納される前記のインターネットＵＲＬ等のアドレス情報も併せて取得され、図７に示すように、各情報提供装置１Ａ〜１Ｃそれぞれの前記アドレス情報と個別識別コードとから成る対照表が形成されて格納部としてのデータベース５に格納される。
【００５６】
次に、カーナビ３は、各情報提供装置１Ａ〜１Ｃからイベント情報の一部である前記の概要情報を受信するだけでなく、情報管理装置４を介して或いは各情報提供装置１Ａ〜１Ｃから直接に各情報提供装置１Ａ〜１Ｃのイベント情報の詳細を入手する。
【００５７】
そのために、カーナビ３は、情報管理装置４に対して通信により上記した情報メニューの取得要求を行い、情報管理装置４から情報メニューを取得すると、取得した情報メニューがカーナビ３に設けられた記憶手段に蓄積保持されると共に、図８に示すように、取得された情報メニューがカーナビ３の表示部に表示され、表示された情報メニューのなかから、表示画面上の選択キーの操作等のドライバ等の使用者による所定操作が行われて所望の個別識別コードの選択が行われると、カーナビ３から情報管理装置４に対して、選択された個別識別コードの送信を伴うアドレス紹介要求がなされる。
【００５８】
次に、情報管理装置４では、アドレス紹介要求を受けると、アドレス紹介要求と共に送信されてきた個別識別コードが対照表（図７参照）に基づきアドレス情報に変換され、変換されたアドレス情報が要求先であるカーナビ３に送信される。ここで、情報管理装置４によるアドレス情報への変換処理が変換部の処理であり、この変換処理は情報管理装置４を構成するコンピュータにより行われ、このような処理を行うための制御プログラムは、情報管理装置４を構成するコンピュータのハードディスク等の記録媒体に読み取り可能に格納されている。
【００５９】
次に、アドレス紹介要求に基く情報管理装置４からのアドレス情報がカーナビ３により受信されると、受信されたアドレス情報がそのカーナビ３の表示部に表示され、使用者によりそのアドレス情報の通信先に接続するための操作が行われると、イベント情報データベース２Ａ〜２Ｃのうちそのアドレス情報に対応するイベント情報データベースに接続されてそのイベント情報の詳細が入手され、入手されたイベント情報の詳細内容が表示部に表示されるのである。
【００６０】
次に、情報端末であるカーナビ３の構成を示した図２について説明する。
【００６１】
各情報提供装置１Ａ〜１Ｃが例えばＦＭ放送局である場合、図２に示すように、アンテナ１１を介してＦＭ受信部１２により、各情報提供装置１Ａ〜１ＣのＦＭ放送局からＦＭ多重放送される個別識別コードの付加された概要情報が受信されると、受信された概要情報がナビゲーション用ＣＰＵ１３に送られ、ＣＰＵ１３により、Ｄ−ＲＡＭ（Dynamic RAM）、Ｓ−ＲＡＭ（Static RAM）等から成る記憶手段１４にその概要情報が所定の書込領域に一旦書き込まれ、ＣＰＵ１３の制御により、記憶手段１４に格納されている概要情報のうち使用者の所定の操作により選択されたものが、液晶ディスプレイ（ＬＣＤ）から成る表示部１５の画面上に表示される。
【００６２】
ところで、図５に示すように表示部１５には、上記した選択キーやカーソル移動キー等の複数のファンクションキー画像が表示され、これらキー画像をタッチすることでカーソルが移動するなどして、表示部１５の表示に対する所定の操作が行われる。
【００６３】
そして、使用者が特定の概要情報の詳細であるイベント情報の内容を知りたいときには、使用者が例えば“選択”というキー画像をタッチ操作して所望の個別識別コードを選択すると、後述の情報管理装置４で作成された情報メニューの取得要求により、その情報メニューから所望の個別識別コードを選択した場合と同様に、ＣＰＵ１３により、通信部を構成する電話制御部１７及び携帯電話１８が制御され、カーナビ３がその電話制御部１７、携帯電話１８及び通信回線を介して情報管理装置４と接続され、選択された個別識別コードの送信を伴うアドレス紹介要求が情報管理装置４に送信され、このアドレス紹介要求に応じて情報管理装置４からカーナビ３に選択された個別識別コードのアドレス情報が送信され、そのカーナビ３のＣＰＵ１３により、前記のアドレス情報が受信されて、受信されたアドレス情報が表示部１５に表示される。
【００６４】
次に、そのアドレス情報による問い合わせ先への接続のために使用者により表示部１５のキー画像が操作されると、ＣＰＵ１３により電話制御部１７及び携帯電話１８が制御され、電話制御部１７、携帯電話１８及び通信回線を介してそのアドレス情報で特定される通信先の情報提供装置１Ａ〜１Ｃに接続され、そのイベント情報データベース２Ａ〜２Ｃの該当するイベント情報の詳細内容が読み出されてＣＰＵ１３により受信され、受信されたイベント情報の詳細内容が記憶手段１４に蓄積保持されると共に表示部１５に表示される。
【００６５】
ところで、カーナビ３においては、図２に示したように、ＧＰＳ（Global Positioning System ）受信機２０により受信アンテナ２１を介して複数のＧＰＳ衛星からの電波が受信され、受信信号がＣＰＵ１３に取り込まれ、このＣＰＵ１３により、現在の自車位置（緯度、経度）が検出され、ナビゲーション時には、ＣＤ−ＲＯＭ等から成る地図データ格納部２２に格納された道路地図データから自車の現在位置周辺の道路地図データが読み出されると共に、読み出された道路地図データに基づく道路地図が表示部１５の画面上に表示される。
【００６６】
また、表示部１５のキー画像の所定操作によって目的地設定がなされていれば、ＣＰＵ１３により、その目的地までの最適経路が導出されて表示中の道路地図上にその経路が表示され、目的地までの経路誘導、つまりルートガイダンスが行われる。
【００６７】
更に、ＣＰＵ１３には、このルートガイダンス等を行なうナビゲーション機能を利用した概要情報に関する表示機能も設けられている。即ち、自車の現在位置周辺の道路地図が表示部１５に表示されているときに、記憶手段１４に格納されている複数の概要情報それぞれの提供位置のうち、例えば自車から半径１０ｋｍ以内に存在する情報の提供位置を表示すべく所定のキー画像を操作すれば、この操作に基づき、ＣＰＵ１３により、該当する情報の提供位置を示す所定のマークが表示中の道路地図に重畳して表示される。
【００６８】
次に、システムの動作について図９ないし図１２のフローチャートを参照して説明する。
【００６９】
まず、情報管理装置４における個別識別コード生成動作について説明すると、図９のフローチャートに示すように、情報管理装置４は、各情報提供装置１Ａ〜１Ｃから個別識別コードの発行要求が送信され、各情報提供装置１Ａ〜１Ｃより位置情報（図３参照）を取得すると（Ｓ１）、取得した位置情報と同じものが管理テーブル（図４参照）にあるか否かの判定がなされ（Ｓ２）、この判定結果がＹＥＳであれば未登録の識別記号が登録される（Ｓ３）。
【００７０】
具体的には、例えば図３に示すような“ＸＸＸＹＹＹ”のような位置情報が管理テーブルに既存し、この位置情報に対して“−１”という識別記号が付加されて“ＸＸＸＹＹＹ−１”という個別識別コードが生成されて管理テーブルに既に登録されていると、これと重複しないように、“ＸＸＸＹＹＹ”という位置情報の同じ場所の新たなイベント情報に対して未登録の識別記号“−２”が付加されて登録され、そのイベント情報に対して位置情報との組み合わせで“ＸＸＸＹＹＹ−２”という個別識別コードが生成、登録される。
【００７１】
一方、ステップＳ２の判定結果がＮＯであれば、任意の識別記号が管理テーブルに登録される（Ｓ４）。そして、ステップＳ３、Ｓ４それぞれからステップＳ５に移行し、このステップＳ５により、ステップＳ３、Ｓ４で登録された識別記号を位置情報に付加して個別識別コードが生成され、この個別識別コードが、発行要求を行った情報提供装置１Ａ〜１Ｃに対して発行される（Ｓ５）。
【００７２】
次に、情報管理装置４における情報メニューの作成及び送信の動作について説明すると、図１０のフローチャートに示すように、個別識別コードの発行要求を行った情報提供装置１Ａ〜１Ｃからイベント情報の位置情報と概要情報が取得され（Ｓ１０）、取得された位置情報と前記の識別記号との組み合わせで個別識別コードが生成され（Ｓ１１）、取得された概要情報と生成された個別識別コードとの組み合わせから成る情報メニューが作成され（Ｓ１２）、その後、作成された情報メニューの取得要求があることを条件に、その要求を行った情報端末であるカーナビ３に情報メニューが送信される（Ｓ１３）。
【００７３】
続いて、情報管理装置４によるアドレス情報の提供動作について説明すると、図１１のフローチャートに示すように、使用者によって選択された個別識別コードに対応するアドレス情報を取得すべく、カーナビ３から情報管理装置４にアドレス紹介要求が送信されると、この要求と共に送信される個別識別コードが情報管理装置４に取得され（Ｓ２０）、情報管理装置４において、対照表に基づきその個別識別コードがアドレス情報に変換され（Ｓ２１）、変換されたアドレス情報がカーナビ３に提供される（Ｓ２２）。
【００７４】
次に、カーナビ３の動作について図１２のフローチャートを参照して説明すると、図１３に示すように、表示部１５に表示される情報メニューのなかから、使用者により所望の概要情報の個別識別コードが選択され、情報管理装置４にその個別識別コードの送信を伴うアドレス紹介要求が情報管理装置４に送信されると（Ｓ２５）、上記したようにして情報管理装置４から送信されてくる所望のアドレス情報が取得され（Ｓ２６）、取得されたアドレス情報の通信先の情報提供装置１Ａ〜１Ｃに通信回線を介して接続されて所望のイベント情報の詳細内容の取得要求及び個別識別コードが送信され（Ｓ２７）、その情報提供装置１Ａ〜１Ｃからイベント情報の詳細内容が取得される（Ｓ２８）。
【００７５】
このように、各情報提供装置１Ａ〜１Ｃにおいて、イベント情報のイベント情報データベース２Ａ〜２Ｃへの格納またはその概要情報のカーナビ３への送信に先立って、位置情報との組み合わせでイベント情報データベース２Ａ〜２Ｃとそのイベント情報データベース２Ａ〜２Ｃ内のイベント情報とを特定するための個別識別コードが情報管理装置４から取得され、取得された個別識別コードがイベント情報に付加される。
【００７６】
また、情報管理装置４では、各情報提供装置１Ａ〜１Ｃから個別識別コードの発行要求を受けると、その情報提供装置１Ａ〜１Ｃからイベント情報の位置情報が取得され、既に取得済みの同一位置情報に対して異なる識別記号、すなわち、位置情報が同一の同じ場所の複数のイベント情報に対して各情報提供装置１Ａ〜１Ｃそれぞれのイベント情報データベース２Ａ〜２Ｃ内で異なるように割り当てられた識別記号が、取得された位置情報に付加されて個別識別コードが生成され、この個別識別コードが発行要求を行った情報提供装置１Ａ〜１Ｃに対して発行される。更に、情報管理装置４により、そのイベント情報の概要情報と生成した個別識別コードとの組み合わせから成る情報メニューが作成され、カーナビ３からの要求に応じてその情報メニューがカーナビ３に提供される。
【００７７】
一方、カーナビ３から情報管理装置４に対して、個別識別コードの送信を伴うアドレス紹介要求があると、情報管理装置４のデータベース５に格納されている対照表からその個別識別コードがアドレス情報に変換され、要求を行ったカーナビ３に変換されたアドレス情報が提供されるため、このカーナビ３は、受信したアドレス情報の通信先である情報提供装置１Ａ〜１Ｃに通信回線を介して接続され、そのイベント情報データベース２Ａ〜２Ｃから所望のイベント情報の詳細を取得する。
【００７８】
従って、上記した第１の実施形態によれば、情報管理装置４において、個別識別コードが、イベント情報の位置情報に各情報提供装置１Ａ〜１Ｃそれぞれのイベント情報データベース２Ａ〜２Ｃ内で異なるように割り当てられた識別記号を付加して生成され、各情報提供装置１Ａ〜１Ｃの同じ所在（場所）の複数のイベント情報が、個別識別コードの識別記号によって各情報提供装置１Ａ〜１Ｃそれぞれのデータベース２Ａ〜２Ｃ内で区別されて特定されるため、個別識別コードのコード長を大幅に低減することができ、情報提供装置４から各情報提供装置１Ａ〜１Ｃに送信する情報量を大幅に低減することが可能になる。
【００７９】
更に、カーナビ３では、情報管理装置４から取得した情報メニューにより使用者が所望する概要情報の個別識別コードを選択し、その個別識別コードの送信を伴うアドレス紹介要求を情報管理装置４に送信することで、情報管理装置４の格納部としてのデータベース５の対照表により、その個別識別コードがアドレス情報に変換され、その個別識別コードに対応したイベント情報の詳細を入手先に提供するためのアドレス情報を取得できることから、情報管理装置４から提供する情報メニューにはアドレス情報を組み入れておく必要がなく、カーナビ３側で記憶すべき情報量を低減することができ、情報管理装置４から送信すべきデータ量も少なくて済み、各情報提供装置１Ａ〜１Ｃからカーナビ３に提供されるイベント情報の一元管理が、情報管理装置４により少ない装置負担で行なえる。
【００８０】
（第２実施形態）
この発明の第２実施形態について図１３ないし図１６を参照して説明する。但し、図１３ないし図１６は動作説明用フローチャートである。本実施形態におけるシステム全体の基本的な構成、及び情報端末としてのカーナビ３の構成は、各々図１及び図２と同じであるため、重複した説明は省略することとし、以下の説明ではこれら図１、図２も参照し、特に上記した第１実施形態と相違する点について説明する。
【００８１】
本実施形態において、上記した第１実施形態と相違するのは次の点である。即ち、情報管理装置４が、カーナビ３から個別識別コードの送信を伴うイベント情報取得要求があれば、送信されてきた個別識別コードを対照表（図７参照）に基づきアドレス情報に変換し、変換したアドレス情報により特定されるイベント情報データベース２Ａ〜２Ｃを備える情報提供装置１Ａ〜１Ｃに通信回線を介して接続し、送信されてきた個別識別コードまたは変換したアドレス情報をその情報提供装置１Ａ〜１Ｃに送信してこれらにより特定されるイベント情報をイベント情報データベース２Ａ〜２Ｃから検索し、得られたイベント情報を情報提供装置１Ａ〜１Ｃから受信してカーナビ３に送信する点が、上記した第１実施形態と相違する。
【００８２】
また、カーナビ３が、情報管理装置４より取得した情報メニューのなかから使用者により選択された個別識別コードを伴うイベント情報取得要求を情報管理装置４に送信し、そのイベント情報取得要求に応じて情報管理装置４を経由して送信されてくるイベント情報を受信する。この点も、上記した第１実施形態と相違する。
【００８３】
ここで、上記した情報管理装置４によるイベント情報の送受信処理が通信部の処理であり、この処理は情報管理装置４を構成するコンピュータにより行われ、この処理を行うための制御プログラムは、情報管理装置４を構成するコンピュータのハードディスク等の記録媒体に読み取り可能に格納されている。更に、上記したカーナビ３による送受信処理が送受信部の処理であり、カーナビ３のＣＰＵ１３により行われる。
【００８４】
次に、動作について図１３ないし図１６のフローチャートを参照して説明する。まず、各情報提供装置１Ａ〜１Ｃのイベント情報収集動作について説明する。
【００８５】
図１３は、ＵＲＬと個別識別コードを取得してＷＷＷ(World Wide Web)サーバにアクセスし、ＣＧＩを使った個別識別コードにより特定のイベント情報を検索する手順を示しており、いま情報管理装置４からのイベント情報送信要求が各情報提供装置１Ａ〜１Ｃに受け付けられると共に情報管理装置４からの個別識別コードが各情報提供装置１Ａ〜１Ｃに取得されると（Ｓ３１）、各情報提供装置１Ａ〜１Ｃにおいて、アドレス情報であるＵＲＬ及び個別識別コードと例えばＣＧＩ(Common Gateway Interface)を使ってそのイベント情報データベース２Ａ〜２Ｃ内のイベント情報の検索が行われ（Ｓ３２）、イベント情報データベース２Ａ〜２Ｃから該当するイベント情報が読み出され（Ｓ３３）、読み出されたイベント情報が各情報提供装置１Ａ〜１Ｃから情報管理装置４に送信される（Ｓ３４）。
【００８６】
ところで、各情報提供装置１Ａ〜１Ｃのイベント情報収集動作の変形例について説明すると、図１４は情報管理装置４から取得したＵＲＬのみで特定のイベント情報のファイルまで指定して検索する手順を示し、図１４に示すように、情報管理装置４からのイベント情報送信要求が受け付けられると共にアドレス情報であるＵＲＬが取得されると（Ｓ３８）、取得されたＵＲＬにより指定されるファイルが検索されてそのファイルが情報管理装置４に転送され（Ｓ３９）、その後動作は終了する。
【００８７】
次に、情報管理装置４のイベント情報の取得動作について説明すると、図１５に示すように、情報管理装置４において、カーナビ３からのイベント情報送信要求が受け付けられると共に、使用者により選択された個別識別コードが取得されると（Ｓ４１）、取得された個別識別コードがデータベース５中の対照表に基づき対応するアドレス情報に変換され（Ｓ４２）、そのアドレス情報の通信先（情報提供装置１Ａ〜１Ｃ）に通信回線を介し接続されてイベント情報の転送要求がなされ（Ｓ４３）、この要求に応じて通信先の情報提供装置１Ａ〜１Ｃから送信されてくる、前記アドレス情報で特定されたイベント情報が受信、取得され（Ｓ４４）、取得されたイベント情報がイベント情報送信要求を行ったカーナビ３に転送される（Ｓ４）。
【００８８】
次に、カーナビ３のイベント情報の取得動作について説明すると、図１６に示すように、情報管理装置４に対して、使用者により選択された所望のイベント情報に対応する個別識別コードの送信を伴うイベント情報送信要求がなされ（Ｓ４８）、この要求に応じて情報管理装置４から送信されてくるイベント情報が受信、取得され（Ｓ４９）、取得されたイベント情報の内容が表示部１５に表示され、その後動作は終了する。
【００８９】
このように、カーナビ３から情報管理装置４に対して、使用者により選択された所望のイベント情報に対応する個別識別コードの送信を伴うイベント情報取得要求を送信することにより、情報管理装置４を経由して所望のイベント情報の詳細がカーナビ３側で取得される。
【００９０】
従って、第２実施形態によれば、上記した第１実施形態と同様の効果を得ることができるのは勿論のこと、カーナビ３側において、情報管理装置４にイベント情報取得要求を送信することにより、情報提供装置１Ａ〜１Ｃに接続し直すことなく、情報管理装置４を経由して個別識別コードに対応したイベント情報の詳細を取得することができ、カーナビ３におけるイベント情報の詳細取得に要する負荷を軽減できる。
【００９１】
なお、カーナビ３においてイベント情報の詳細を受信中に受信状態が悪化しても、その後受信状態が安定してから情報管理装置４よりイベント情報の詳細を再度入手可能にすることができるので、より安定した情報入手が可能になる利点もある。
【００９２】
（第３実施形態）
この発明の第３実施形態について図１７ないし図２４を参照して説明する。但し、図１７ないし図２１は動作説明図、図２２ないし図２４は動作説明用フローチャートである。本実施形態におけるシステム全体の基本的な構成、及び情報端末としてのカーナビ３の構成は、各々図１及び図２と同じであるため、重複した説明は省略することとし、以下の説明ではこれら図１、図２も参照し、特に上記した第１実施形態と相違する点について説明する。
【００９３】
本実施形態において、上記した第１実施形態と相違するのは次の点である。即ち、各情報提供装置１Ａ〜１Ｃにおいては、個別識別コードの発行要求に際し、イベント情報の有効期限を情報管理装置４に通知し、情報管理装置４から個別識別コードと共にそのイベント情報の有効期限を表わす期限情報を取得し、取得した個別識別コード及び期限情報をそのイベント情報に付加し、有効期限の経過しているイベント情報をイベント情報データベース２Ａ〜２Ｃから削除する点が、上記した第１実施形態と相違する。ここで、各情報提供装置１Ａ〜１Ｃにおける個別識別コード及び期限情報の付加処理が付加部の処理であり、この処理は各情報提供装置１Ａ〜１Ｃを構成するコンピュータにより行われる。
【００９４】
また、情報管理装置４においては、各情報提供装置１Ａ〜１Ｃから位置情報と共にイベント情報の概要情報及び有効期限を取得し、その概要情報に期限情報付きの個別識別コードを付加し、図１７に示すような管理テーブルに、このような有効期限付きの個別識別コードを登録し、データベース５に格納する。このとき、既に管理テーブルに取得済みの同一位置情報に対して異なる識別記号を付加することにより個別識別コードを生成して各情報提供装置１Ａ〜１Ｃに発行するが、有効期限が既に経過しているものについてはその個別識別コードを異なる情報提供装置１Ａ〜１Ｃのイベント情報またはその情報提供装置１Ａ〜１Ｃの異なるイベント情報に対して再発行すると共に、図１８に示すように、概要情報と期限情報付きの個別識別コードとの組み合わせから成る情報メニューを作成してカーナビ３に提供すると共に、有効期限が経過している概要情報を情報メニューから削除する点が、上記した第１実施形態と相違する。
【００９５】
更に、情報管理装置４においては、図１９に示すように、各情報提供装置１Ａ〜１Ｃのイベント情報データベース２Ａ〜２Ｃとイベント情報データベース２Ａ〜２Ｃ内のイベント情報とを特定するためのアドレス情報と期限情報付きの個別識別コードの対照表を形成し、形成した対照表を格納部としてのデータベース５に格納し、更にカーナビ３から期限情報付きの個別識別コードの送信を伴うアドレス紹介要求を受けると、有効期限が経過していないものについて期限情報付きの個別識別コードをデータベース５の対照表に基づきアドレス情報に変換してカーナビ３に送信する点が、上記した第１実施形態と相違する。
【００９６】
ここで、情報管理装置４による位置情報、概要情報及び有効期限の取得処理が取得部の処理であり、個別識別コードの発行、再発行処理が発行部の処理であり、アドレス情報への変換処理が変換部の処理である。これらの処理は情報管理装置４を構成するコンピュータにより行われ、このような処理を行うための制御プログラムは、情報管理装置４を構成するコンピュータのハードディスク等の記録媒体に読み取り可能に格納されている。
【００９７】
また、カーナビ３においては、情報管理装置４から情報メニュー（図１８参照）を取得し、図２０に示すように表示部１５に表示される情報メニューのなかから選択された期限情報付きの個別識別コードのうち有効期限が経過していないものついてのみ、その送信を伴うアドレス紹介要求を情報管理装置４に送信し、そのアドレス紹介要求に応じて情報管理装置４から送信されてくるアドレス情報を受信する点が、上記した第１実施形態と相違する。ここで、カーナビ３による送受信処理が送受信部の処理であり、ＣＰＵ１３により行われる。
【００９８】
ところで、各情報提供装置１Ａ〜１Ｃにより情報管理装置４からの上記した期限情報付きの個別識別コードが取得されると、図２１に示すように、位置情報、取得された個別識別コード、概要情報、詳細なイベント情報、各情報提供装置１Ａ〜１Ｃのイベント情報データベース２Ａ〜２Ｃとイベント情報データベース２Ａ〜２Ｃ内のイベント情報とを特定するためのＵＲＬ等のアドレス情報に加えて、有効期限が、イベント情報データベース２Ａ〜２Ｃに格納される。このように、有効期限も一緒にイベント情報データベース２Ａ〜２Ｃに格納される点も上記した第１実施形態と相違する。
【００９９】
次に、動作について図２２ないし図２４のフローチャートを参照して説明する。まず、各情報提供装置１Ａ〜１Ｃにおける有効期限のチェック動作について説明する。
【０１００】
いま、図２２に示すように、各情報提供装置１Ａ〜１Ｃにおいて、イベント情報データベース２Ａ〜２Ｃ内に、有効期限の経過しているイベント情報があるか否かの判定がなされ（Ｓ５１）、この判定結果がＮＯであれば判定結果がＹＥＳになるまでこの判定が繰り返され、ステップＳ５１の判定結果がＹＥＳであれば、そのイベント情報データベース２Ａ〜２Ｃより該当するイベント情報の全項目が削除され（Ｓ５２）、その後動作は終了する。
【０１０１】
続いて、情報管理装置４における有効期限のチェック動作について説明すると、図２３に示すように、データベース５中の管理テーブル（図１７参照）中に有効期限の経過している個別識別コードがあるか否かの判定がなされ（Ｓ５５）、この判定結果がＮＯであれば判定結果がＹＥＳになるまでこの判定が繰り返され、ステップＳ５５の判定結果がＹＥＳであれば、そのデータベース５より該当する個別識別コードが削除され（Ｓ５６）、その後動作は終了する。
【０１０２】
更に、カーナビ３のイベント情報の取得動作について説明すると、図２４に示すように、使用者により所望のイベント情報取得の操作が行われると（Ｓ６１）、情報管理装置４から有効期限を含んだ情報メニューが取得され（Ｓ６２）、取得された情報メニューの有効期限が参照され（Ｓ６３）、有効期限が経過しているか否かの判定がなされ（Ｓ６４）、この判定結果がＮＯであれば有効期限は経過しておらずその情報は有効であると判断できるため、上記した第１実施形態と同様にして（図１２のステップＳ２５〜Ｓ２８参照）、イベント情報の詳細の取得処理が行われる（Ｓ６５）。
【０１０３】
一方、ステップＳ６４の判定結果がＹＥＳであれば、その情報は有効期限が経過して既に無効であると判断できるため、取得処理が中断されて表示部１５にその旨を示すエラーメッセージが表示されるなどして使用者に報知され（Ｓ６６）、その後動作は終了する。
【０１０４】
このように、個別識別コードに有効期限が付加されるため、その有効期限が経過しているものについては該当するイベント情報が送信対象から削除されることになり、有効期限の経過していないもののみがカーナビ３に提供される。
【０１０５】
また、情報管理装置４においては、一度使用された個別識別コードが、有効期限経過後は別の情報の個別識別コードに割り当てられ、より少ない種類の個別識別コードで多くの情報が提供される。
【０１０６】
なお、有効期限を管理していなければ、情報管理装置４が有効期限経過後の概要情報と個別識別コードとの組み合わせから成る情報メニューを作成してカーナビ３に送信するおそれがある。
【０１０７】
しかしながら、この実施形態の場合、上記したように有効期限を管理することで、有効期限が経過した概要情報は情報メニューから確実に削除されるため、有効なイベント情報について情報メニューをカーナビ３に提供してカーナビ３側で有効なイベント情報を確実に取得することができる。
【０１０８】
そして、この実施形態によれば、情報管理装置４において、各情報提供装置１Ａ〜１Ｃより取得されるイベント情報の有効期限が経過していれば、その個別識別コードが同一又は異なる情報提供装置１Ａ〜１Ｃの別の新たな異なるイベント情報に対して再発行されるため、少ない個数の個別識別コードで多くの情報を提供することが可能になる。
【０１０９】
更に、個別識別コード数が少なくなることから、カーナビ３側で記憶すべき情報量を一層低減することが可能になる。
【０１１０】
そして、カーナビ３からの個別識別コードの送信を伴うアドレス紹介要求があれば、有効期限が経過していないものについてのみ、対照表からその個別識別コードがアドレス情報に変換されてカーナビ３に送信されることから、有効期限が経過した個別識別コードがアドレス情報に変換されることはない。そのため、カーナビ３側では、記憶情報の更新を正しく行うことが可能になり、情報管理装置４から常に有効期限の経過していないアドレス情報を入手して有効期限が経過する前の有用なイベント情報のみを正しく取得することができる。
【０１１１】
ところで、上記した各実施形態では、情報提供装置を３カ所として説明しているが、２カ所或いは４カ所以上であってもこの発明を適用できるのはいうまでもなく、特に情報提供装置が多数の場合において本発明の効果が顕著である。
【０１１２】
また、上記した各実施形態では、個別識別コードを構成する識別記号を１、２、…等の数字により構成した場合について説明したが、これ以外にアルファベットやその他の識別記号を用いても構わないのは勿論である。
【０１１３】
また、上記した各実施形態では、情報端末をカーナビ３とした場合について説明したが、情報端末はこれに限定されるものでないのは勿論である。
【０１１４】
また、上記した各実施形態では、情報管理装置４を制御する制御プログラムを読み取り可能に格納する記録媒体は、特にハードディスクに限定されるものではなく、その他の磁気記録媒体やＣＤ−ＲＯＭ等の光ディスク、ＭＯ等の光磁気記録媒体等に格納されていても構わない。
【０１１５】
また、本発明は上記した実施形態に限定されるものではなく、その趣旨を逸脱しない限りにおいて上述したもの以外に種々の変更を行うことが可能であり、例えば、前記第３の実施形態において、カーナビ３から情報管理装置４にアドレス紹介要求に代えて前記第２の実施形態のようにイベント情報取得要求を送信し、情報管理装置４を経由して有効なイベント情報を取得するようにしてもよい。
【０１１６】
【発明の効果】
以上のように、請求項１に記載の発明によれば、各情報提供装置において、イベント情報のデータベースへの格納またはその概要情報の情報端末への送信に先立つ個別識別コードの発行要求により、イベント情報の位置情報との組み合わせで形成されて各情報提供装置の別とそのデータベース内のイベント情報の別とからそのイベント情報を特定するための個別識別コードが情報管理装置から取得され、取得された個別識別コードがデータベースのイベント情報に付加され、このとき、個別識別コードが、イベント情報の位置情報に各情報提供装置それぞれの前記データベース内で異なるように割り当てられた識別記号を付加して生成され、各情報提供装置の同じ所在（場所）の複数のイベント情報が、個別識別コードの識別記号によって各情報提供装置それぞれのデータベース内で区別されて特定される。そのため、例えば、全ての情報提供装置の全てのイベント情報に対して異なるコードを割り当てるような場合に比して、個別識別コードのコード長が大幅に短くなり、情報管理装置から各情報提供装置に少ない情報量で個別識別コードを送信することができる。
【０１１７】
更に、情報管理装置から移動体の情報端末にイベント情報の一部の概要情報とその個別識別コードとを組合わせた情報メニューが送られ、情報端末において、受信した情報メニューからの概要情報の選択により、選択した概要情報の個別識別コードに基いて該当する情報提供装置に接続され、その情報提供装置のデータベースから所望のイベント情報が取得されてその詳細の表示等が可能になり、この場合、情報メニューの個別識別コードは短く、しかも、概要情報はイベント情報の詳細でなく一部であるので、イベント情報の概要情報とその個別識別コードとを組合わせたイベント情報の選択に必要な最小限の情報量の情報メニューが情報管理装置から情報端末に送られて、情報端末に記憶される。
【０１１８】
そして、情報メニューにアドレス情報を組み入れておく必要がなく、情報管理装置から移動体の情報端末に送信する情報量が少なくて済み、しかも、情報端末側で記憶すべき情報量も極めて低減されて少なくなり、その際、各情報提供装置のデータベースの各イベント情報が、前記の位置情報に識別記号を付加した個別識別コードにより、情報提供装置の別、及び、情報提供装置のデータベース内の別を認識して特定されるため、各情報提供装置から情報端末に提供されるイベント情報の一元管理が、情報管理装置により少ない装置負担で行なえる。
【０１１９】
したがって、移動体の情報端末側に記憶すべき情報量が極めて少ない構成でこの種の移動体向けの情報提供システムを実現することができると共に、各情報提供装置が前記情報端末に提供する各イベント情報を、装置負荷が少ない構成で重複しないように一元的に管理することができる。
【０１２０】
また、請求項２に記載の発明によれば、移動体の情報端末により情報メニューから所望の概要情報の個別識別コードを選択し、情報端末から情報管理装置に選択した個別識別コードを伴うアドレス紹介要求を行うことにより、情報管理装置において、格納部の対照表により、その個別識別コードがアドレス情報に変換されて情報端末に提供され、この情報端末では、個別識別コードに対応したイベント情報の詳細の入手先に関するアドレス情報を取得し、そのアドレス情報の通信先の情報提供装置に接続することにより、その情報提供装置のデータベースから前記アドレス情報の所望のイベント情報の詳細を取得することができる。
【０１２１】
このとき、前記請求項１のシステムと同様、情報メニューにアドレス情報を組み入れておく必要がないため、情報端末側において記憶すべき情報量を低減でき、送信すべきデータ量も少なくて済み、各情報提供装置から情報端末に提供されるイベント情報の一元管理が、情報管理装置により少ない装置負担で行なえ、移動体の情報端末により、情報管理装置にアドレス紹介要求をして取得したアドレス情報に基き、該当する情報提供装置に接続してそのデータベースから所望のイベント情報を取得することができる具体的な構成を提供することができ、この具体的な構成により請求項１のシステムと同様の効果を得ることができる。
【０１２２】
また、請求項３に記載の発明によれば、移動体の情報端末において、情報メニューから所望の概要情報の個別識別コードを選択し、その個別識別コードを伴うイベント情報取得要求を情報管理装置に送信することにより、その個別識別コードのアドレス情報で特定される情報提供装置のデータベースの所望のイベント情報の詳細を、情報管理装置を経由して取得することができる。
【０１２３】
そして、この場合も、情報メニューにアドレス情報を組み入れておく必要がないため、情報端末側において記憶すべき情報量を低減でき、送信すべきデータ量も少なくて済み、各情報提供装置から情報端末に提供されるイベント情報の一元管理が、情報管理装置により少ない装置負担で行なえ、移動体の情報端末により、情報管理装置にイベント紹介要求をし、該当する情報提供装置のデータベースの所望のイベント情報を、情報管理装置を経由して取得することができる具体的な構成を提供することができ、この具体的な構成により請求項１のシステムと同様の効果を得ることができる。
【０１２４】
また、所望のイベント情報が情報管理装置に取り込まれるため、情報端末において、情報管理装置からのイベント情報の受信状態が悪化しても、その後受信状態が安定してから情報管理装置よりイベント情報の詳細を再度入手することができるので、より安定した情報入手が可能になる利点もある。
【０１２５】
また、請求項４に記載の発明によれば、各情報提供装置が情報管理装置に個別識別コードの発行要求を行うことにより、各情報提供装置それぞれのデータベースの有効期限が経過していないイベント情報は自動的に情報端末の選択対象になって個別識別コード及び期限情報が付加され、データベースの有効期限が既に経過しているイベント情報は前記提供対象から削除され、このとき、情報管理装置により各情報提供装置の既に有効期限が経過して削除されるイベント情報の個別識別コードは、同一又は異なる情報提供装置の別の新たなイベント情報に再発行されて有効活用され、一度割り当てた個別識別コードを、有効期限経過後は別の新たなイベント情報に割り当てることができ、個別識別コードを効果的に使うことができ、極力少ない種類の個別識別コードで多くのイベント情報を情報端末側に提供することができる。
【０１２６】
そのため、一度割り当てた個別識別コードを、有効期限経過後は別の新たなイベント情報に割り当てることができ、個別識別コードを効果的に使うことができ、極力少ない種類の個別識別コードで多くのイベント情報を情報端末側に提供することができる。
【０１２７】
また、情報管理装置において、有効期限の経過前のイベント情報についてのみ、割り当てられた期限情報付きの個別識別コードと概要情報とが組み合わされて情報メニューが形成され、この情報メニューが情報管理装置から情報端末に提供され、この情報端末においては、前記の情報メニューからの選択により、有効期限が経過する前のイベント情報の概要情報のみを選択することができ、この選択に基き、有効期限が経過する前の有用なイベント情報の詳細を取得することができる。
【０１２８】
従って、移動体の情報端末側に記憶すべき情報量が極めて少なく、しかも、各情報提供装置が前記情報端末に提供する各イベント情報を、装置負荷が少ない構成で重複しないように一元的に管理することができる構成により、情報端末側で有効期限が経過する前の有用なイベント情報のみを正しく取得することができる。
【０１２９】
また、請求項５に記載の発明によれば、情報端末での情報メニューからの概要情報の選択により、有効期限の経過していない概要情報についてのみ、期限情報付きの個別識別コードを伴うアドレス紹介要求が情報端末から情報管理装置に送られ、情報管理装置においては、その期限情報付きの個別識別コードが対照表によって該当するイベント情報のアドレス情報に変換され、常に有効期限の経過していないアドレス情報が情報管理装置から情報端末に送信され、この情報端末により、受信したアドレス情報の情報提供装置に接続し、その装置のデータベースから該当するイベント情報が読み出され、有効期限が経過していない有用なイベント情報の詳細内容を入手することが可能になる。
【０１３０】
従って、移動体の情報端末により、情報管理装置にアドレス紹介要求をして取得したアドレス情報によって特定された情報提供装置のデータベースから、有効期限が経過していない選択された有用なイベント情報のみを取得することができる、具体的な構成を提供することができ、この具体的な構成により請求項４のシステムと同様の効果を得ることができる。
【０１３１】
また、請求項６に記載の発明によれば、情報端末において、情報メニューから有効期限が経過していない概要情報が選択され、選択された情報の期限情報付きの個別識別コードを伴うイベント情報取得要求が情報管理装置に送信され、情報管理装置においては、情報端末からのイベント情報取得要求常に基き、期限情報付きの個別識別コードが対照表に基いてイベント情報のアドレス情報に変換され、このアドレス情報に基いて特定された情報提供装置のデータベースから、有効期限の経過していない有用な選択されたイベント情報が読み出される。更に、そのイベント情報が情報管理装置から情報端末に送信され、情報端末において、有効期限の経過していない有用なイベント情報についてのみ、情報管理装置を経由してその詳細を取得することができる。
【０１３２】
従って、移動体の情報端末により、情報管理装置にイベント情報取得要求をすることにより、該当する情報提供装置のデータベースの有効期限が経過していない選択された有用なイベント情報を情報管理装置を経由して取得することができる、具体的な構成を提供することができ、この具体的な構成により請求項４のシステムと同様の効果を得ることができる。
【図面の簡単な説明】
【図１】  この発明の第１実施形態の全体構成を示す概略図である。
【図２】  この発明の第１実施形態の一部のブロック図である。
【図３】  この発明の第１実施形態の動作説明図である。
【図４】  この発明の第１実施形態の動作説明図である。
【図５】  この発明の第１実施形態の動作説明図である。
【図６】  この発明の第１実施形態の動作説明図である。
【図７】  この発明の第１実施形態の動作説明図である。
【図８】  この発明の第１実施形態の動作説明図である。
【図９】  この発明の第１実施形態の動作説明用フローチャートである。
【図１０】  この発明の第１実施形態の動作説明用フローチャートである。
【図１１】  この発明の第１実施形態の動作説明用フローチャートである。
【図１２】  この発明の第１実施形態の動作説明用フローチャートである。
【図１３】  この発明の第２実施形態の動作説明用フローチャートである。
【図１４】  この発明の第２実施形態の動作説明用フローチャートである。
【図１５】  この発明の第２実施形態の動作説明用フローチャートである。
【図１６】  この発明の第２実施形態の動作説明用フローチャートである。
【図１７】  この発明の第３実施形態の動作説明図である。
【図１８】  この発明の第３実施形態の動作説明図である。
【図１９】  この発明の第３実施形態の動作説明図である。
【図２０】  この発明の第３実施形態の動作説明図である。
【図２１】  この発明の第３実施形態の動作説明図である。
【図２２】  この発明の第３実施形態の動作説明用フローチャートである。
【図２３】  この発明の第３実施形態の動作説明用フローチャートである。
【図２４】  この発明の第３実施形態の動作説明用フローチャートである。
【符号の説明】
１Ａ〜１Ｃ  情報提供装置（付加部）
２Ａ〜２Ｃ  イベント情報データベース
３    カーナビ（情報端末）
４    情報管理装置（取得部、発行部、変換部、通信部）
５    データベース（格納部）
１３  ＣＰＵ（送受信部）
【図１】
0003722652.tif 000002
【図２】
0003722652.tif 000003
【図３】
0003722652.tif 000004
【図４】
0003722652.tif 000005
【図５】
0003722652.tif 000006
【図６】
0003722652.tif 000007
【図７】
0003722652.tif 000008
【図８】
0003722652.tif 000009
【図９】
0003722652.tif 000010
【図１０】
0003722652.tif 000011
【図１１】
0003722652.tif 000012
【図１２】
0003722652.tif 000013
【図１３】
0003722652.tif 000014
【図１４】
0003722652.tif 000015
【図１５】
0003722652.tif 000016
【図１６】
0003722652.tif 000017
【図１７】
0003722652.tif 000018
【図１８】
0003722652.tif 000019
【図１９】
0003722652.tif 000020
【図２０】
0003722652.tif 000021
【図２１】
0003722652.tif 000022
【図２２】
0003722652.tif 000023
【図２３】
0003722652.tif 000024
【図２４】
0003722652.tif 000025